(57)【要約】【課題】形態が美しく、十分に強度が高く、衣料品の型崩れやワイヤーの線状痕を発生せず、しかもローコストに提供できる衣料用ハンガーを得る。【解決手段】衣料用の衿部付近を支持するための首部１と、首部１の両側に連続し衣料の肩部を支持するための傾斜肩部２と、傾斜肩部２端に下方へわん曲するように連続して、衣料の袖基部を滑らかに案内するわん曲部３と、首部１、傾斜肩部２およびわん曲部３を一体に形成する無端状ワイヤーＷと、首部１の中央に取り付けられて、上部にフック６を有する吊下部７とを有する。【選択図】　　　図１
2004121461.tif 000002
【特許請求の範囲】
【請求項１】
衣料用の衿部付近を支持するための首部と、
該首部の両側に連続し前記衣料の肩部を支持するための傾斜状の肩支持部と、
該肩支持部端に下方へわん曲するように連続して、前記衣料の袖基部を滑らかに案内するわん曲部と、
前記首部、肩支持部およびわん曲部を一体に形成する無端状ワイヤーと、
前記首部の中央に取り付けられて、上部にフックを有する吊下部と、
を備えてなることを特徴とする衣料用ハンガー。
【請求項２】
前記吊下部が、前記首部の中央に設けられた軸支持部材に対し水平回動自在に支持されていることを特徴とする請求項１に記載の衣料用ハンガー。
【請求項３】
前記肩支持部を形成する前記無端状ワイヤーの互いに対向する部位に補強材が連結されていることを特徴とする請求項１に記載の衣料用ハンガー。
【請求項４】
前記無端状ワイヤーの互いに対向する部位および前記補強材に支持されるように、ひもまたはバンドを係止するための係止部材が設けられていることを特徴とする請求項３に記載の衣料用ハンガー。
【請求項５】
前記係止部材が、前記無端状ワイヤーの互いに対向する部位に嵌合する溝と前記補強材に係止する係止片部とを有することを特徴とする請求項３に記載の衣料用ハンガー。
【発明の詳細な説明】
【０００１】
【発明の属する技術分野】
本発明は、商店などで衣料品を商品として陳列するのに使用する衣料用ハンガーに関する。
【０００２】
【従来の技術】
従来の衣料用ハンガーとして、洋服を掛けるのに適した幅広の木製や合成樹脂製のハンガー、シャツ、ワンピースなどを掛けるのに適したワイヤー製のハンガー、あるいはこれらに類する種々のタイプのハンガーが提供されている。これらのうち前記木製のハンガーは、切削加工や塗装に大掛りな設備と費用がかかり、合成樹脂製のハンガーも成形型を使用するため生産効率が高いもののコスト高となる。
【０００３】
一方、ワイヤー製のハンガーは材料費が安く、大量生産可能である。このワイヤー製のハンガーは、最も単純なもので一本のワイヤーを首部や肩部を持つように折曲形成されてなり、例えばクリーニング店が洗濯したシャツ等の衣類に、顧客へのサービスとして付けるものなどがある。
【０００４】
【発明が解決しようとする課題】
しかしながら、従来のワイヤー製のハンガーは、表面にコーティングを施した一本の細いワイヤーを折曲形成したものであるため、製造、販売コストが安いものの、容易に変形、折損しやすく、長期の仕様に耐えられず、また、衣料であるシャツ等の肩部を一本のワイヤーで支えるのみであるため、シャツ本来の形状、デザインを維持できず、型崩れを招きやすい。また、前記のように容易に変形、折損するハンガーは直ちに廃棄処理されるため、省資源対策に逆行し、また、公害問題をひき起こしてしまう。さらに、婦人用ワンピースやシャツでは、ワイヤーによる線状痕が付着するなどの問題があった。
【０００５】
また、前記木製や合成樹脂製の幅広のハンガーにあっては、衣服に線状痕が付着したり、型崩れを生じたりするおそれはないが、前記のように設備コストが高いため製造コスト、販売コストも高くなり、気軽に扱いにくい。さらに、前記いずれのハンガーにあっても、例えば婦人用ブラジャーを形良く掛止するものが少ない。例えばハンガーの肩部に凹状の掛止部位が設けられたハンガーでは、肩ひもやバンドが滑って移動し易く、従って形良く保持できず、その婦人用ブラジャーの上を被うようにハンガーに掛けられたワンピースなどの胸部を美しく見せるのに役立たないなどの不都合があった。
【０００６】
本発明は前記のような従来の問題点に着目してなされたものであり、形態が美しく、十分に強度が高く、衣料品の型崩れやワイヤーの線状痕を発生せず、しかもローコストに提供できる衣料用ハンガーを得ることを目的とする。また、婦人用ブラジャーの肩ひもなどを安定に保持できるようにして、この婦人用ブラジャーの上に着せた婦人衣料が美しい形態にて陳列できる衣料用ハンガーを提供することを目的とする。
【０００７】
【課題を解決するための手段】
前記目的達成のために、請求項１の発明にかかる衣料用ハンガーは、衣料用の衿部付近を支持するための首部と、該首部の両側に連続して前記衣料の肩部を支持するための傾斜肩部と、該傾斜肩部端に下方へわん曲するように連続して、前記衣料の袖基部を滑らかに案内するわん曲部と、前記首部、傾斜肩部およびわん曲部を一体に形成する無端状ワイヤーと、前記首部の中央に取り付けられて、上部にフックを有する吊下部とを備えてなることを特徴とする。
【０００８】
これにより、通常の使用ではワイヤーが変形したり折損したりせず、形態を美しい状態に保ちながら衣料品を掛けて陳列することができ、これを簡単かつローコストな構成にて実現できる。
【０００９】
また、請求項２の発明にかかる衣料用ハンガーは、前記吊下部が、前記首部の中央に設けられた軸支持部材に対し水平回動自在に支持されていることを特徴をする。これにより、吊下部に対して肩部の向きを自由自在に変えることができ、クローゼットの水平バーに吊下部を介して衣料品を整然と支持させることができる。
【００１０】
また、請求項３の発明にかかる衣料用ハンガーは、前記傾斜肩部を形成する前記無端状ワイヤーの互いに対向する部位に補強材が連結されていることを特徴とする。これにより、ワイヤーからなるハンガー本体の構造を強化でき、ハンガーの取扱いを容易化できる。
【００１１】
また、請求項４の発明にかかる衣料用ハンガーは、前記無端状ワイヤーの互いに対向する部位および前記補強材に支持されるように、紐またはバンドを係止するするための係止部材が設けられていることを特徴とする。これにより、婦人用ブラジャーのひもやバンドを位置ずれなく、しかも着脱自在に支持でき、この婦人用ブラジャーの上を被うようにハンガー本体に掛けられたシャツなどの衣料の胸部を、美しいデザインに表現できる。
【００１２】
また、請求項５の発明にかかる衣料用ハンガーは、前記係止部材が、前記無端状ワイヤーの互いに対向する部位に嵌合する溝と前記補強材に係止する係止片部とを有することを特徴とする。これにより、係止部材をハンガー本体の肩支持部に対し容易に装着でき、必要に応じ取り外したり交換したりすることができる。
【００１３】
【発明の実施の形態】
以下、本発明の実施の一形態を図について説明する。図１は本発明の衣料用ハンガーを示す斜視図であり、無端状ワイヤーＷによりハンガー本体Ｈが成形されている。すなわち、この無端状ワイヤーＷは、平面視で、図３に示すように中央部では狭く、両端部では中央部よりも幾分広くなるように、長ループ状に加工されている。
【００１４】
そして、この長ループ状の無端状ワイヤーＷの中央部は、その両端部に対して緩やかに上方に起立して首部１とされ、この首部１が衣料の衿部付近を支持可能な形態とされている。また、この首部１の両側に連結するように、それぞれ衣料の肩部を支持するための傾斜状の肩支持部２が形成されている。
【００１５】
さらに、これらの肩支持部２端には、図２に示すように、下方にわん曲するように、前記衣料の袖基部を滑らかに案内する袖案内部３が一体連結されている。つまり、前記無端状ワイヤーＷによって前記首部１と、この首部１に対して対称に配置される肩部２および袖案内部３とが一体に加工、形成されている。なお、この無端状ワイヤーＷは例えば３．２ミリ径の鋼ワイヤーまたは鉄ワイヤーにクロムメッキ被覆を施したワイヤーからなり、容易に変形、曲折しない強さを持っている。
【００１６】
前記首部１中央において無端状ワイヤーＷが平行に対向する部位には、筒型の軸支持部材４外周に形成されたリング溝５が挟み込まれている。そして、この挟み込まれた部分で無端状ワイヤーＷに対し軸支持部材４が溶接により固定されている。また、上部にフック６を一体に有するワイヤー製の垂直の吊下部７が、軸支持部４に設けられた筒孔８に挿通されている。
前記吊下部７の下端には図４に示すような抜け止め突起７ａが形成され、この抜け止め突起７ａが筒孔８の大径部に形成された係止座面８ａに係止可能とされて、上方への吊下部７の脱抜が阻止されている。このため、吊下部７は筒孔８内でフリーに水平回動可能になっている。なお、筒孔８の大径部には抜け止め突起７ａの下方への脱抜を防止する、脱抜防止突起４ａが形成されている。
【００１７】
前記各袖案内部３付近の、肩支持部２には、無端状ワイヤーＷの互いに対向する部位に、ワイヤーの補強材９の各一端が溶接によって架設固定されている。この補強材９と互いに対向する部位の無端状ワイヤーＷとに、婦人用ブラジャーのひもまたはバンドを係止する係止部材１０が取り付けられている。
【００１８】
図５および図７はこの係止部材１０の無端状ワイヤーＷに対する取付構造を示す。この係止部材１０は、合成樹脂の一体成型によって作られ、全体として薄い矩形板状をなす。この係止部材１０の前後の端縁には、無端状ワイヤーＷに嵌合される円弧状の嵌合凹所１０ａを有し、一方の側端縁には前記補強材９に嵌合する円弧状の嵌合フック部１０ｂが突設されている。従って、係止部材１０は肩支持部２および補強材９に容易かつ着脱自在に組み付け可能になっている。
【００１９】
さらに係止部材１０は中央部に長孔形の切欠１１が形成され、この切欠１１内に「へ」の字型断面の係止片１２の一端が一体に取り付けられている。ここで、係止片１２は係止部材１０本体よりも肉薄に形成されている。このため、係止片１２はその一端が切欠１１の内面に支持され、上下方向への弾性が付与される。なお、前記係止部材１０は略矩形をなすものの、正確には台形をなし、肩支持部２端から首部１にかけて次第に近接する無端状ワイヤーＷ間に介装されるため、肩支持部２が無端状ワイヤーＷ上を左右方向に移動または位置ずれすることはない。
【００２０】
このような構成のハンガーでは、無端状ワイヤーＷを首部１を中心にこの首部１の両側から肩支持部２に亘って優しく延長させ、さらにこの肩支持部２の端部に下方にわん曲させるわん曲部を設けている。従って、首部に対して衣料の衿部付近を形を整えた状態にして支持させ、衣料の肩部を肩支持部２で僅か下方へ滑らせるようにしてしわが生じないように支持させ、わん曲部３で衣料の袖基部をその袖の重量を利用して滑らかに下方へ案内させることができる。
【００２１】
また、吊下部７は上部にフック６を有し、しかも下部が軸支持部材４内にあって脱抜不可能かつ水平回動可能に取り付けられているため、フック６対して肩支持部２を軽快に回動操作することができる。従って、フック６によって水平バーに吊り下げられたハンガー本体Ｈ上の衣料を、自由に方向を変えながら陳列したり、クローゼット内の水平バーに吊り下げ易くして、衣料の収納や整理を容易化することができる。
【００２２】
さらに、前記無端状ワイヤーＷの互いに対向する部位および補強材９に、左右で一対の係止部材１０が取り付けられているため、例えば婦人用ブラジャーの肩ひもやバンドを係止部材１０本体と係止片１２との間に挟み込むことで、この係止片１２の弾性と相俟って、前記ひもやバンドが容易に脱抜したり位置ずれしないように保持される。
【００２３】
従って、婦人用ブラジャーのカップなど形を整えて、前記のようにひもやバンドを係止部材１０本体と係止片１２との間に保持させた後は、ハンガー本体Ｈにブラウス、セータ、ワンピースなどの衣料を掛けたときに、胸部付近のこれら衣料の形態が整うこととなり、デザイン性に優れた衣料の陳列、展示を実現できることになる。
【００２４】
また、本発明のハンガー自体はワイヤーを無端状にし、主に肩支持部２を幅広に形成したことで、容易に変形や折損することがなくなり、取り扱いが容易となり、半永久的使用が可能になる。さらに、ワイヤーによる衣料の線状痕の付着や型崩れの発生を回避でき、また、無端状ワイヤーＷの成形、加工が容易であり、設備コスト、製造コスト。販売コストを大幅に低減できる。
【００２５】
【発明の効果】
以上のように、本発明によれば衣料用の衿部付近を支持するための首部と、該首部の両側に連続して前記衣料の肩部を支持するための傾斜肩部と、該傾斜肩部端に下方へわん曲するように連続して、前記衣料の袖基部を滑らかに案内するわん曲部と、前記首部、傾斜肩部およびわん曲部を一体に形成する無端状ワイヤーと、前記首部の中央に取り付けられて、上部にフックを有する吊下部とを設けることで、ハンガー通常の強度を十分に確保でき、従って通常の使用ではワイヤーが変形したり折損したりせず、形態を美しい状態に保ちながら衣料品を掛けて陳列することができ、これを簡単かつローコストに実現できる。
【００２６】
また、前記吊下部を、首部の中央に設けられた軸支持部材に対し水平回動自在に支持したことで、吊下部に対して肩部の向きを自由自在に変えることができ、従ってクローゼットの水平バーに吊下部を介して衣料品を整然と支持させることができるという利点が得られる。そして前記傾斜肩部を形成する無端状ワイヤーの互いに対向する部位に補強材を連結したことで、ワイヤーからなるハンガー本体の構造を強化でき、ハンガーの取扱いを容易化できる。
【００２７】
さらに、前記無端状ワイヤーの互いに対向する部位および前記補強材に支持されるように、ひもまたはバンドを係止するための係止部材を設けることで、婦人用ブラジャーのひもやバンドを位置ずれなく、しかも着脱自在に支持でき、従って、この婦人用ブラジャーの上を被うようにハンガー本体に掛けられたシャツなどの衣料の胸部を美しいデザインに表現できるという効果が得られる。また、前記係止部材が、無端状ワイヤーの互いに対向する部位に嵌合する溝と前記補強材に係止する係止片部とを設けることで、係止部材をハンガー本体の肩支持部に対し容易に装着できるという利点が得られる。
【図面の簡単な説明】
【図１】本発明の実施の形態による衣料用ハンガーを示す斜視図図である。
【図２】図１の示す衣料用ハンガーの正面図である。
【図３】図１の示す衣料用ハンガーの平面図である。
【図４】図１における軸支持部材の縦断面図である。
【図５】図１における係止部材付近の平面図である。
【図６】図５におけるＡ−Ａ線断面図である。
【図７】図５におけるＢ−Ｂ線断面図である。
【符号の説明】
１…首部
２…肩支持部
３…わん曲部
４…軸支持部材
６…フック
７…吊下部
９…補強材
１０…係止部材
Ｈ…ハンガー本体
Ｗ…無端状ワイヤー
【図１】
2004121461.tif 000003
【図２】
2004121461.tif 000004
【図３】
2004121461.tif 000005
【図４】
2004121461.tif 000006
【図５】
2004121461.tif 000007
【図６】
2004121461.tif 000008
【図７】
2004121461.tif 000009